(57)【要約】【目的】濾過体の組立および分解が正確で迅速かつ容易に行われ、ローコストに製造し得られると共にメンテナンス性にも優れた、スクリュー式濾過脱水装置を提供。【構成】壁面に濾水流出窓２を開設した筒状外枠１内に多数枚の環状濾過プレート７を互に細隙を保持して積層状に配列させ各細隙を濾水流出溝８とする筒状の濾過体６に形成し、該濾過体６の始端開口部を汚泥の送り込み口とし終端開口部を脱水ケーキの送り出し口として中心孔にスクリューコンベア１６を嵌装してなるスクリュー式濾過脱水装置において、各環状濾過プレート７の外周縁に位置決め用嵌部９を刻設すると共に筒状外枠１の内周に沿って回り止め用杆体３を縦設し、該回り止め用杆体３に前記位置決め用嵌部９を係止させた状態により各環状濾過プレート７が筒状外枠１内に配列されるよう構成した。【選択図】        図２
2004255286.tif 000002
【特許請求の範囲】
【請求項１】
壁面に濾水流出窓を開設した筒状外枠内に多数枚の環状濾過プレートを互に細隙を保持して積層状に配列させ各環状濾過プレート間の細隙を濾水流出溝とする筒状の濾過体に形成し、該濾過体の始端開口部を汚泥の送り込み口とし終端開口部を脱水ケーキの送り出し口として中心孔にスクリューコンベアを嵌装してなるスクリュー式濾過脱水装置において、各環状濾過プレートの外周縁に位置決め用嵌部を刻設すると共に筒状外枠の内周に沿って回り止め用杆体を縦設し、該回り止め用杆体に前記位置決め用嵌部を係止させた状態により各環状濾過プレートが筒状外枠内に配列されるよう構成したことを特徴とする、スクリュー式濾過脱水装置。
【請求項２】
筒状外枠の内周に縦設される回り止め用杆体が、筒状外枠の外側から螺装されるボルトによって定着せられ、該ボルトを取り外すことにより筒状外枠の枠端部から抽出可能に構成されていることを特徴とする、請求項１記載のスクリュー式濾過脱水装置。
【発明の詳細な説明】
【０００１】
【発明の技術分野】
本発明は、例えばオキシデーションディッチ法等に代表される比較的小規模の下水処理作業において発生する懸濁微粒子を含む懸濁液を、濾液と懸濁微粒子とに分離するためのスクリュー式濾過脱水装置に関するものである。
【０００２】
【従来の技術】
多数枚の環状濾過プレートを所要の間隔を保持して積層状に配列させ各環状濾過プレート間の間隙を濾水流出溝とする筒状の濾過体に形成し、該濾過体の始端開口部を汚泥の送り込み口とし終端開口部を脱水ケーキの送り出し口として中心孔にスクリューコンベアを嵌装してなるスクリュー式濾過脱水装置は公知である。そして濾過体の形成状態を保持させるについては一般に、各環状濾過プレートの周辺複数箇所より張出された耳部にボルト挿通用の孔を穿設し、短管状のスペーサを介装させて各プレートの耳部の孔にそれぞれ通しボルトを挿通し、該通しボルトの端部をナットで螺着するという構造が採られている（例えば、特許文献１参照）。
【０００３】
【特許文献１】
特開平９−２２０５９９号公報  （第１−４図）
【０００４】
【発明が解決しょうとする課題】
しかし特許文献１に示された構造では、濾過体の組立時において多数枚の環状濾過プレートおよび短管状のスペーサを複数本の通しボルトに逐一嵌挿して行かなければならず、多大の時間と労力を費やして組立の作業性が悪く製造コストが嵩むことになる。そして汚泥を扱うこの種の装置には摩耗したプレートの交換等により、濾過体の分解作業を伴う保守点検が屡々必要であり、特許文献１に示された構造では、分解時において複数本の通しボルトを各環状濾過プレートおよび短管状のスペーサから抽脱しなければならず、また、分解後には再び前述の手順で濾過体の組立を行わなければならないという煩わしさがある。
【０００５】
本発明の目的は、濾過体の組立および分解が正確で迅速かつ容易に行われ、ローコストに製造し得られると共にメンテナンス性にも優れた、スクリュー式濾過脱水装置を提供することにある。
【０００６】
【問題を解決するための手段】
本発明に係る請求項１記載のスクリュー式濾過脱水装置では、壁面に濾水流出窓を開設した筒状外枠内に多数枚の環状濾過プレートを互に細隙を保持して積層状に配列させ各環状濾過プレート間の細隙を濾水流出溝とする筒状の濾過体に形成し、該濾過体の始端開口部を汚泥の送り込み口とし終端開口部を脱水ケーキの送り出し口として中心孔にスクリューコンベアを嵌装してなるスクリュー式濾過脱水装置において、各環状濾過プレートの外周縁に位置決め用嵌部を刻設すると共に筒状外枠の内周に沿って回り止め用杆体を縦設し、該回り止め用杆体に前記位置決め用嵌部を係止させた状態により各環状濾過プレートが筒状外枠内に配列されるよう構成した。また、請求項２記載のスクリュー式濾過脱水装置では請求項１記載の発明を前提として、筒状外枠の内周に縦設される回り止め用杆体が、筒状外枠の外側から螺装されるボルトによって定着せられ、該ボルトを取り外すことにより筒状外枠の枠端部から抽出可能に構成されている。
【０００７】
【発明の実施の態様】
以下の図１ないし図８の実施例により説明をする。
【０００８】
１は壁面要所に濾水流出窓２・・２開設した筒状外枠、３は筒状外枠１の内周に沿って縦設された回り止め用杆体であり、その定着態様としては例えば、筒状外枠１の外側から螺装されるボルト４によって定着せられ、該ボルト４を取り外すことにより筒状外枠１の枠端部から抽出可能に構成せられ、或いは筒状外枠１の内側に刻設された凹溝５に嵌入せられ、筒状外枠１の枠端部から抽出可能に構成せられ、或いは筒状外枠１の内側に刻設された凹溝５に嵌入され且つ筒状外枠１の外側から螺装されるボルト４によって定着せられ、該ボルト４を取り外すことにより筒状外枠１の枠端部から抽出可能に構成されている。６は筒状濾過体であり、筒状外枠１内において多数枚の環状濾過プレート７・・７を所要の細隙を保持して積層状に配列させ、各環状濾過プレート７・・７間の細隙を濾水流出溝８・・８に形成する。各環状濾過プレート７・・７の外周縁には位置決め用嵌部９が刻設されていて、該位置決め用嵌部９を前記回り止め用杆体３に係止させた状態により各環状濾過プレート７・・７が筒状外枠１内に配列される。なお、各環状濾過プレート７・・７の各積層間にそれぞれ環状可動プレート１０・・１０を遊嵌させた態様とすることもある。１１・・１１は各環状濾過プレート７・・７の板面要所に凸設された間隔保持具であり、前述のように環状可動プレート１０・・１０の遊嵌されている場合には、これら環状可動プレート１０・・１０の肉厚よりも僅かに厚く且つ各環状可動プレート１０・・１０と非接触状態に保たれる位置において間隔保持具１１・・１１が配設される。１２は濾過体６の形成状態を保持させるための固定環であり、筒状外枠１の枠端部に着脱自在に定着されている。そして濾過体６の始端開口部を汚泥の送り込み口１３とし終端開口部を脱水ケーキの送り出し口１４として中心孔１５にスクリューコンベア１６を嵌装する。１７はスクリューコンベア１６を駆動するための原動機、１８は送り出し口１４に付設された吐出圧調整弁である。
【０００９】
原動機１７を駆動させるとスクリューコンベア１６が回転し（環状濾過プレート７・・７の各積層間にそれぞれ環状可動プレート１０・・１０が遊嵌されている場合には該環状可動プレート１０・・１０が環状濾過プレート７・・７間の間隙に沿って偏心回転運動を行い）、送り込み口１３から濾過体６内へ送り込まれた汚泥はスクリューブレード１６Ｂに沿って旋回しながら軸方向へ前進する過程において、濾過された濾水は濾水流出溝４・・４および濾水流出窓２・・２を通って流下すると共に脱水されて含水率の低くなった脱水ケーキは前方の送り出し口１４から順次排出される。そして摩耗したプレートの交換等により濾過体６を分解する場合には、固定環１２を取り外すことにより環状濾過プレート７・・７（および環状可動プレート１０・・１０）を筒状外枠１内から容易に取り外すことができる。また、回り止め用杆体３が抽出可能に定着されている場合には該回り止め用杆体３を筒状外枠１の枠端部から抽出することにより、環状濾過プレート７・・７を回動させながら軸方向へ抜き出すことができるので、濾過体６の分解が更に容易に行われることになる。
【００１０】
【発明の効果】
本発明によれば、濾過体の組立および分解が正確で迅速かつ容易に行われ、ローコストに製造し得られると共にメンテナンス性にも優れた、スクリュー式濾過脱水装置を提供することがきる。
【図面の簡単な説明】
【図１】本発明スクリュー式濾過脱水装置の構成を略示した縦断側面図である。
【図２】本発明スクリュー式濾過脱水装置の要部縦断側面図である。
【図３】本発明スクリュー式濾過脱水装置の縦断正面図である。
【図４】本発明スクリュー式濾過脱水装置における筒状外枠の縦断正面図である。
【図５】本発明スクリュー式濾過脱水装置における環状濾過プレートの正面図である。
【図６】本発明スクリュー式濾過脱水装置における筒状外枠の縦断正面図であって、筒状外枠の内周に縦設される回り止用杆体が筒状外枠の外側から螺装されるボルトによって定着されている事例を示す。
【図７】本発明スクリュー式濾過脱水装置における筒状外枠の縦断正面図であって、筒状外枠の内周に刻設された凹溝に回り止用杆体が嵌入されている事例を示す。
【図８】本発明スクリュー式濾過脱水装置における筒状外枠の縦断正面図であって、筒状外枠の内周に刻設された凹溝に回り止用杆体が嵌入され且つ筒状外枠の外側から螺装されるボルトによって定着されている事例を示す。
【符号の説明】
１      筒状外枠
２      濾水流出窓
３      回り止用杆体
４      ボルト
６      濾過体
７      環状濾過プレート
８      濾水流出溝
９      位置決め用嵌部
１３      汚泥の送り込み口
１４      汚泥の送り出し口
１５      中心孔
１６      スクリューコンベア
【図１】
2004255286.tif 000003
【図２】
2004255286.tif 000004
【図３】
2004255286.tif 000005
【図４】
2004255286.tif 000006
【図５】
2004255286.tif 000007
【図６】
2004255286.tif 000008
【図７】
2004255286.tif 000009
【図８】
2004255286.tif 000010